(57)【要約】  【課題】  より効果的に皺取りが行える皺取り具を提供する  【解決手段】  基材層と、粘着剤層と、剥離材層と、を含む皺取り具であって、第１貼付け部と、第２貼付け部と、規制部と、を含み、前記基材層と前記粘着剤層との間に、弾性材層を含み、前記規制部における前記弾性材層が復元力を有する皺取り具。【選択図】  図１
2018051089.tif 000002
【特許請求の範囲】
【請求項１】
基材層と、粘着剤層と、剥離材層と、を含む皺取り具であって、
第１貼付け部と、第２貼付け部と、規制部と、を含み、
前記基材層と前記粘着剤層との間に、弾性材層を含み、
前記規制部における前記弾性材層が復元力を有する
ことを特徴とする皺取り具。
【請求項２】
請求項１に記載の皺取り具であって、
前記規制部における前記弾性材層は、平面形状に設けられる
ことを特徴とする皺取り具。
【請求項３】
請求項２に記載の皺取り具であって、
前記規制部における前記弾性材層は、コ字形状、又は２以上のコ字形状を繰り返し反転屈曲させた形状に設けられる
ことを特徴とする皺取り具。
【請求項４】
請求項１に記載の皺取り具であって、
前記規制部における前記弾性材層は、前記基材層側に突出する突出形状に設けられる
ことを特徴とする皺取り具。
【請求項５】
請求項４に記載の皺取り具であって、
前記規制部における前記弾性材層は、前記基材層側に突出する略逆Ｖ字形状に設けられる
ことを特徴とする皺取り具。
【請求項６】
請求項４に記載の皺取り具であって、
前記規制部における前記弾性材層は、前記基材層側に突出する略円弧形状に設けられる
ことを特徴とする皺取り具。
【請求項７】
請求項４に記載の皺取り具であって、
前記規制部における前記弾性材層は、前記基材層側に突出する略Ｍ字形状に設けられる
ことを特徴とする皺取り具。
【請求項８】
請求項４〜７のいずれか一項に記載の皺取り具であって、
前記弾性材層と前記粘着剤層との間に、裏材層を含む
ことを特徴とする皺取り具。
【請求項９】
請求項８に記載の皺取り具であって、
前記規制部は、前記裏材層を含まない
ことを特徴とする皺取り具。
【請求項１０】
請求項１に記載の皺取り具であって、
前記規制部における前記弾性材層は、平面形状から前記基材層側に突出する突出形状に変更可能に設けられる
ことを特徴とする皺取り具。
【請求項１１】
請求項１０に記載の皺取り具であって、
前記規制部は、前記突出形状を固定するための折曲固定部を含む
ことを特徴とする皺取り具。
【請求項１２】
請求項１〜１１のいずれか一項に記載の皺取り具であって、
前記規制部の少なくとも一部を貫通する調整口を含む
ことを特徴とする皺取り具。
【発明の詳細な説明】
【技術分野】
【０００１】
本発明は、皺取り具に関する。
【背景技術】
【０００２】
従来、顔等における皺を取るものとして、「皮膚の表面に貼り、皮膚の表面の皺を引っ張って伸ばし固定するストレッチ・テープにおいて、該テープは、ストレッチ性のある基材に粘着剤を３５ｇ／ｍ２以上の厚塗りで塗布したことを特徴とする美容・整形用ストレッチ・テープ。」が提案されている（特許文献１）。
【先行技術文献】
【特許文献】
【０００３】
【特許文献１】特開２００４−３１３２７７号公報
【発明の概要】
【発明が解決しようとする課題】
【０００４】
上記ストレッチ・テープは、皺の周辺に貼って皺の周辺から引っ張って皺を伸ばした状態で固定しようとするものである。
【０００５】
しかし、対象部位を決めて上記ストレッチ・テープを貼り付けたとしても、周辺の筋肉が動いた場合は、位置ずれが発生してしまうので、効果的に皺取りができなくなる。特に、皺が発生しやすい目元や口元等は、筋肉の動きも多いので、位置ずれが発生する可能性も大きくなる。
【０００６】
さらに、皺の上表面、すなわち皮膚に貼る皺取りテープは、皺をなぞる様にテープを貼ることで、テープが皺をなぞる様に張り付けた場合、皺を逆に明確に助長させかねないことになりやすい。一方で皺の頂点付近をテープの粘着力で固定する場合、皺の頂点すなわち、皺の山部をしっかり押さえることで、逆に皺の溝を深く鮮明にしかねないこともある。
【０００７】
本発明は、記課題を解決するためのもので、より効果的に皺取りが行える皺取り具を提供することを目的とする。
【課題を解決するための手段】
【０００８】
上記課題を解決するために、本発明の一態様に係る皺取り具は、基材層と、粘着剤層と、剥離材層と、を含む皺取り具であって、第１貼付け部と、第２貼付け部と、規制部と、を含み、前記基材層と前記粘着剤層との間に、弾性材層を含み、前記規制部における前記弾性材層が復元力を有する。
【０００９】
また、前記規制部における前記弾性材層は、平面形状に設けられてもよい。
【００１０】
また、前記規制部における前記弾性材層は、コ字形状、又は２以上のコ字形状を繰り返し反転屈曲させた形状に設けられてもよい。
【００１１】
また、前記規制部における前記弾性材層は、前記基材層側に突出する突出形状に設けられてもよい。
【００１２】
また、前記規制部における前記弾性材層は、前記基材層側に突出する略逆Ｖ字形状に設けられてもよい。
【００１３】
また、前記規制部における前記弾性材層は、前記基材層側に突出する略円弧形状に設けられてもよい。
【００１４】
また、前記規制部における前記弾性材層は、前記基材層側に突出する略Ｍ字形状に設けられてもよい。
【００１５】
また、前記弾性材層と前記粘着剤層との間に、裏材層を含んでもよい。
【００１６】
また、前記規制部は、前記裏材層を含まなくてもよい。
【００１７】
また、前記規制部における前記弾性材層は、平面形状から前記基材層側に突出する突出形状に変更可能に設けられてもよい。
【００１８】
また、前記規制部は、前記突出形状を固定するための折曲固定部を含んでもよい。
【００１９】
また、前記規制部の少なくとも一部を貫通する調整口を含んでもよい。
【発明の効果】
【００２０】
本発明によれば、より効果的に皺取りが行える皺取り具を提供することができる。
【図面の簡単な説明】
【００２１】
【図１】実施形態１に係る皺取り具を示す図である。
【図２】実施形態１に係る皺取り具の使用状態を示す図である。
【図３】実施形態１の変形例１係る皺取り具を示す図である。
【図４】実施形態１の変形例２に係る皺取り具を示す図である。
【図５】実施形態２に係る皺取り具を示す図である。
【図６】実施形態２の変形例１に係る皺取り具を示す図である。
【図７】実施形態２の変形例２に係る皺取り具を示す図である。
【図８】実施形態３に係る皺取り具を示す図である。
【図９】実施形態４に係る皺取り具を示す図である。
【発明を実施するための形態】
【００２２】
以下、図面を参照して本願に係る皺取り具の実施形態の例を説明する。本願では、皺取り具及びその構成部分において、皮膚に近接する側を「裏側」とし、その逆側を「表側」とする。なお、各図においては、一部の層にのみハッチング又は網掛け処理をして表示することがある。
【００２３】
＜実施形態１＞
図１及び図２は、実施形態１に係る皺取り具１を示す図で、図１は皺取り具１を示す図、図２は皺取り具１の使用状態を示す図である。
【００２４】
皺取り具１は、基材層１１と、弾性材層１４と、粘着剤層１２と、剥離材層１３と、を含んで構成される。なお、図示のように、弾性材層１４と粘着剤層１２との間に裏材層１５を含んでもよい。
【００２５】
基材層１１は、皺取り具１の表側を構成する層で、例えば、不織布や、合成樹脂製フィルム、和紙、綿布等の素材が用いられる。基材層１１は、伸縮性を有する素材が用いられてもよい。図示のように、本実施形態において基材層１１は、１枚のシート状になっている。
【００２６】
弾性材層１４は、基材層１１の裏側に当接して配置される層で、例えば、薄板状の金属部材、薄板状の樹脂部材等が用いられる。弾性材層１４は、基材層１１の縁部よりも内側に後退して基材層１１よりも狭い範囲に配置される。一例として、図示のように、弾性材層１４は、基材層１１の中央部の細長い範囲に分布される。弾性材層１４は、図示しない接着剤や粘着剤等で基材層１１に貼り付けられて固定されてもよいし、基材層１１と後述の裏材層１５ａとの間に挟まれて固定されてもよい。
【００２７】
裏材層１５は、弾性材層１４が存在する領域ではその裏側に、弾性材層１４が存在しない領域では基材層１１の裏側に、当接して配置される層で、例えば、不織布や、合成樹脂製フィルム、和紙、綿布等の素材が用いられる。裏材層１５は、弾性材層１４を覆うように配置される。図示の裏材層１５は、基材層１１と対応した形状で、弾性材層１４を隔てて基材層１１全体をも覆うように配置されているが、これに限定されるものではなく、弾性材層１４を覆う大きさで配置されればよい。さらには、弾性材層１４の両端だけを覆うものであってもよい。基材層１１は、伸縮性を有する素材が用いられてもよい。裏材層１５は、図示しない接着剤等で弾性材層１４と貼り付けられていてもよい。また、裏材層１５は、弾性材層１４が存在しない領域では、少なくとも一部が熱圧着等により基材層１１と接合されて一体となってもよい。
【００２８】
粘着剤層１２は、裏材層１５が存在する領域では裏材層１５を、裏材層１５が存在しない領域では、基材層１１の裏側に塗布（積層）される層で、例えば、シリコーン樹脂製の粘着剤、アクリル樹脂製の粘着剤、合成ゴム製の粘着剤等が用いられる。図示のように、本実施形態における粘着剤層１２は、中央部分を隔てて鼻側及び顎側の二つの分断された帯状に塗布される。
【００２９】
剥離材層１３は、裏側から粘着剤層１２を覆う層で、紙や合成樹脂フィルム等の素材が用いられる。また、図示しないが、粘着剤層１２からきれいに剥がれるように、剥離材層１３にはシリコーン樹脂等が塗布される。図示の剥離材層１３は、１枚のシート状になっているが、粘着剤層１２のみを覆うように、二つの分断された帯状に形成されてもよい。さらに、裏材層１５に沿って設けられてもよい。
【００３０】
皺取り具１ａは、図示のように、第１貼付け部２１と、第２貼付け部２２と、規制部３０と、を含む。
【００３１】
第１貼付け部２１は、一方側の皮膚に貼り付けられる部分で、表側から順に基材層１１、弾性材層１４、裏材層１５、粘着剤層１２、剥離材層１３を含んで構成される。第１貼付け部２１は、一例として、図示のように、端部が二つの円弧が連なる形状に形成され、端部中心が切欠いた形状に形成される。
【００３２】
第１貼付け部２１において、弾性材層１４は、分布領域が基材層１１よりも狭く、一例として、図示のように、弾性材層１４は、縁部から内側（規制部３０側）に後退させて配置される。
【００３３】
第２貼付け部２２は、他方側の皮膚に貼り付けられる部分で、表側から順に基材層１１、弾性材層１４、裏材層１５、粘着剤層１２、剥離材層１３を含んで構成される。第２貼付け部２２は、一例として、図示のように、端部が丸みのある略逆三角形状に形成される。
【００３４】
第２貼付け部２２において、弾性材層１４は、分布領域が基材層１１よりも狭く、一例として、図示のように、弾性材層１４は、縁部から内側（規制部３０）に後退させて配置される。
【００３５】
本実施形態において、規制部３０は、皮膚とは所定の距離を保ちながら上方から覆う部分で、粘着剤層１２は含まず、一例として、表側から順に基材層１１、弾性材層１４、裏材層１５、剥離材層１３を含んで構成される。なお、規制部３０は、剥離材層１３を含まなくてもよい。
【００３６】
規制部３０における弾性材層１４は、基材層１１側に突出する形状をなす。一例として、図示のように、規制部３０における弾性材層１４は、基材層１１側に突出する略逆Ｖ字形状をなす。言い換えれば、弾性材層１４ａは、３１及び３２の二つの辺が所定角度で連なる形状である。なお、規制部３０において、弾性材層１４によって基材層１１も押し上げられてこれと同様な形状をなし、裏材層１５が弾性材層１４と貼り付けられている場合は、裏材層１５も同じ形状をなす。
【００３７】
なお、第１貼付け部２１や第２貼付け部２２は、必ずしも平面状でなくてもよい。貼り付けられる部位に合わせて一部又は全体が湾曲する等の形状であってもよい。また、基材層１１や裏材層１５は、弾性材層１４全体を覆わずとも、第１貼付け部２１や第２貼付け部２２付近を覆うだけでもよい。
【００３８】
皺取り具１は、使用の際は、剥離材層１３が剥がされ、図２に示すように、皺を取り対象部位の皮膚が引っ張られるように第１貼付け部及び第２貼り付け部を貼り付ける。この状態で、無意識に動こうとすると、弾性材層１４の略逆Ｖ字形状の両辺にその復元力に抗する力を与えなければならない。しかし、無意識の動きは、その力が弱いため、略逆Ｖ字形状の両辺を近接方向あるいは離間方向に変形させることはできず、これによって無意識の動きが抑制される。一方、意識的に動く必要がある場合は、その力が大きく、略逆Ｖ字形状の両辺にその復元力に抗する力を与えてこれを変形させ、動くことができるようになる。そして、意識的な動きを止めると、弾性材層１４の略逆Ｖ字形状の両辺はその復元力によって元の状態に戻り、無意識の動き抑制状態に戻る。
【００３９】
規制部３０における弾性材層１４を５ｍｍ解放させる（離間方向に拡開させる）のに必要な力は、１０ｇ〜２００ｇであり、好ましくは、２０〜８０ｇである。
【００４０】
皺取り具１は、無意識の動きを抑制することで、位置ずれを抑制することができる。また、規制部を貼り付ける必要がないため、例えば、目や口等を跨ってこれとは干渉せずに適切な部位に配置することができる。
【００４１】
なお、製造方法としては、先に湾曲させて成型した弾性材層１４に基材層１１や裏材層１５、剥離材層１３等を貼り付ける方法、平らな弾性材層１４に基材層１１や裏材層１５、剥離材層１３等を貼り付けた後に、弾性材層１４部を湾曲させる方法等が考えられる。形状の打ち抜きなどは適宜、各工程に組み合わされるものとする。
【００４２】
＜実施形態１の変形例１＞
図３は、実施形態１の変形例１に係る皺取り具１ａを示す図である。上記実施形態と同様な構成については、同様な符号を付し、その説明を省略する。皺取り具１ａは、規制部３０ａの形状及びさらに調整口４０ａを含む点が、実施形態１に係る皺取り具１と異なる。
【００４３】
規制部３０ａは、粘着剤層１２は含まず、表側から順に基材層１１、弾性材層１４、裏材層１５、剥離材層１３を含んで構成される。なお、規制部３０ａは、剥離材層１３を含まなくてもよい。規制部３０ａは、基材層側に突出する突出形状に設けられ、ここでは、弾性材層１４は円弧状に設けられる。
【００４４】
調整口４０ａは、皺取り具１ａの略中央部に貫通孔として形成される。好ましくは、調整口４０ａは、規制部３０ａにおける弾性材層１４の少なくとも一部を貫通するように形成される。例えば、図示のように、調整口４０ａは、規制部３０ａにおける弾性材層１４の中央部を貫通する縦長の貫通孔で、規制部３０ａにおける弾性材層１４を二つの帯状部分に分断するように形成される。
【００４５】
皺取り具１ａは、調整口４０ａを設けることで、弾性材層１４の付勢力の強さを調整できる。なお、調整口４０ａの形状は、これに限定されるものではなく、真円形状等であってもよい。また、調整口４０ａは、一つの貫通孔で構成される例が図示されているが、複数であってもよい。また、縦長の一つの貫通孔ではなく、略円形状の貫通孔を縦に複数設けたりしてもよい。また、規制部３０ａは、第１貼付け部２１ａ及び第１貼付け部２２ａより幅広く形成されてもよい。
【００４６】
＜実施形態１の変形例２＞
図４は、実施形態１の変形例２に係る皺取り具１ｂを示す図である。皺取り具１ｂは、規制部３０ｂのみが、実施形態１に係る皺取り具１と異なる。
【００４７】
規制部３０ｂにおける弾性材層１４ｂは、基材層１１側に突出する形状をなす。一例として、図示のように、規制部３０ｂは、規制部３０ｂにおける弾性材層１４ｂが、基材層１１側に突出する略Ｍ字形状をなしている。言い換えれば、略逆Ｖ字形状の先端が裏材層側に陥没して谷状の段差部３３ｂが備えるようになっている。その他の構成については、実施形態１に係る規制部３０ｂと同様であるため、説明を省略する。
【００４８】
皺取り具１ｂは、規制部３０ｂに段差部３３ｂを有することによって、動く幅を大きくすることができ、使い心地がさらによくなる。
【００４９】
＜実施形態２＞
図５は、実施形態２に係る皺取り具１ｃを示す図である。皺取り具１ｃは、規制部３０ｃのみが実施形態１に係る皺取り具１と異なる。上記実施形態と同様な構成については、同様な符号を付し、その説明を省略する。
【００５０】
規制部３０ｃは、平面形状から基材層１１側に突出する突出形状に変更可能に形成される。一例として、規制部３０ｃは、第１辺部３１ｃと、第２辺部３２ｃと、第１辺部３１ｃと第２辺部３２ｃの間の頂部３４ｃと、を含み、第１辺部３１ｃと頂部３４ｃとの間、第２辺部３２ｃと頂部３４ｃとの間に、それぞれ折曲線が形成され、この折曲線を沿って頂部３４ｃを押し上げるように折り曲げることによって、規制部３０ｃが基材層１１側に突出する形状に変更される。
【００５１】
なお、頂部３４ｃを含まず、規制部３０ｃは、第１辺部３１ｃと、第２辺部３２ｃと、を含み、両者の間に、折曲線が形成され、この折曲線を沿って折り曲げることによって、基材層１１側に突出する形状に変更されるようにしてもよい。
【００５２】
また、規制部３０ｃは、折曲固定部３５ｃを含んでもよい。一例として、折曲固定部３５ｃは、第１辺部３１ｃ及び第２辺部３２ｃのそれぞれに設けられた貫通孔と３５１ｃと、これを連結する連結部３５２ｃとを含んで構成される。使用の際には、例えば、図示のように、二つの辺部３１ｃ及び３２ｃを一定の角度まで折り曲げてから、連結部３５２ｃで貫通孔３５１ｃを連結して、突出形状を固定する。
【００５３】
皺取り具１ｃは、上記実施形態１に係る皺取り具１と同様に、皺を取り対象部位の皮膚が引っ張られるように第１貼付け部及び第２貼り付け部を貼り付ける。この状態で、無意識に動こうとすると、第１貼付け部と第２貼付け部との間の間隔を変えようとする、弾性材層１４の両辺部にその復元力に抗する力を与えなければならない。しかし、無意識の動きは、その力が弱いため、両辺部を近接方向あるいは離間方向に変形させることはできず、これによって無意識の動きが抑制される。一方、意識的に動く必要がある場合は、その力が大きく、両辺部にその復元力に抗する力を与えてこれを変形させ、動くことができるようになる。そして、意識的な動きが止まると、弾性材層１４の両辺部はその復元力によって元の状態に戻り、無意識の動き抑制状態に戻る。皺取り具１は、無意識の動きを抑制することで、位置ずれを抑制することができる。また、規制部を貼り付ける必要がないため、例えば、目や口等を跨ってこれとは干渉せずに適切な部位に配置することができる。
【００５４】
皺取り具１ｃは、規制部３０ｃが平面形状から基材層側に突出する突出形状に変更可能に形成されるため、さらに、利便性が向上する。
【００５５】
＜実施形態２の変形例１＞
図６は、実施形態２の変形例１に係る皺取り具１ｄを示す図で、図６（ａ）は平面形状を、図６（ｂ）は折曲途中状態を、図６（ｃ）は折曲後固定状態を示す図である。皺取り具１ｄは、折曲固定部３５ｄのみが実施形態２に係る皺取り具１ｃと異なる。
【００５６】
折曲固定部３５ｄは、第１辺部３１ｃ及び第２辺部３２ｃのそれぞれに設けられた係止片３５１ｄ、３５２ｄで構成され、二つの係止片３５１ｄ、３５２ｄを係合させることによって、折り曲げ後の突出形状を固定することができる。
【００５７】
図示のように、二つの係止片３５１ｄは、相反する方向に曲がっているフック状に形成され、フックの根元が第１辺部３１ｃ又は第２辺部３２ｃとつながり、その他の部分は第１辺部３１ｆ又は第２辺部３２ｆから遊離する形態に設けられて、遊離部分を裏側に押し曲げて、両者を引っ掛けることによって、固定される。
【００５８】
使用の際には、例えば、図６（ｂ）に示すように、第１辺部３１ｃ及び第２辺部３２ｃを一定の角度まで折り曲げてから、二つの係止片３５１ｄ、３５２ｄを押し曲げた後に、図６（ｃ）に示すように、二つの係止片３５１ｄ、３５２ｄを係合させて、突出形状を固定する。
【００５９】
＜実施形態５の変形例２＞
図７は、実施形態２の変形例２に係る皺取り具１ｅを示す図で、図７（ａ）は平面形状を、図７（ｂ）は折曲途中状態を、図７（ｃ）は折曲後固定状態を示す図である。皺取り具１ｅは、折曲固定部３５ｅのみが実施形態２に係る皺取り具１ｃと異なる。
【００６０】
折曲固定部３５ｅは、第１辺部３１ｃ及び第２辺部３２ｃの一方に係止片３５１ｅを、他方に係止孔３５２ｅを設けて、係止片３５１ｅと係止孔３５２ｅとを係合させることによって、口当て部３０ｅの突出形状を固定する。なお、ここでは、説明の便宜上、第１辺部３１ｃに係止片３５１ｅが設けられ、第２辺部３２ｃに係止孔３５２ｅが設けられるものとする。
【００６１】
図示のように、係止片３５１ｅは、根元のみが第１辺部３１ｃとつながり、その他の部分は第１辺部３１ｃから遊離する形態に設けられる。また、係止孔３５２ｅは、貫通孔として設けられ、係止片３５１ｅに対応した形状に設けられる。より具体的には、図示のように、係止片３５１ｅを、全体が略Ｔ字形状で、縦棒部分に膨らみを持たせた形状に形成することができる。これに合わせて、係止孔３５２ｅは、全体が略工字形状に形成して、係止片３５１ｅの横棒部分が係止孔３５２ｅの小さい横棒部分に係止され、さらに膨らみ部分で固定されるようにすることができる。
【００６２】
＜実施形態３＞
図８は、実施形態３に係る皺取り具１ｆを示す図で、図８（ａ）は表側を示す図、図８（ｂ）は皺取り具を構成する各層を示す図、図８（ｃ）は剥離材層を除いた裏側を示す図である。上記実施形態と同様な構成については、同様な符号を付し、その説明を省略する。
【００６３】
皺取り具１ｆは、基材層１１ｆと、弾性材層１４ｆと、粘着剤層１２と、剥離材層１３と、を含んで構成される。
【００６４】
基材層１１ｆは、皺取り具１ｆの表側を構成する層で、例えば、不織布や、合成樹脂製フィルム、和紙、綿布等の素材が用いられる。基材層１１ｆは、伸縮性を有する素材が用いられてもよい。図示のように、本実施形態において基材層１１ｆは、分断された２枚のシート状になっている。
【００６５】
粘着剤層１２は、基材層１１ｆの裏側に塗布（積層）される層で、例えば、シリコーン樹脂製の粘着剤、アクリル樹脂製の粘着剤、合成ゴム製の粘着剤等が用いられる。
【００６６】
弾性材層１４ｆは、一部が皺取り具１ｆの表側を構成し、一部が基材層１１ｆの裏側に配置される層で、例えば、薄板状の金属部材、薄板状の樹脂部材等が用いられる。弾性材層１４ｆは、基材層１１ｆの縁部よりも内側に後退して、皺取り具１ｆの中央部に配置される。弾性材層１４ｆは、図示しない接着剤や粘着剤等で基材層１１ｆに貼り付けられて固定されてもよいし、図８（ｃ）に示すように、粘着剤層１２によって基材層１１ｆに貼り付けられて固定されてもよい。
【００６７】
剥離材層１３は、裏側から粘着剤層１２を覆う層で、紙や合成樹脂フィルム等の素材が用いられる。また、図示しないが、粘着剤層１２からきれいに剥がれるように、剥離材層１３にはシリコーン樹脂等が塗布される。図示のように、本実施形態において剥離材層１３は、２枚のシート状になっている。また、剥離材層１３は、図示のように、弾性材層１４ｆが存在する部分をも覆ってもよいし、弾性材層１４ｆが存在せず粘着剤層１２が裏側において露出する層のみを覆ってもよい。
【００６８】
皺取り具１ｆは、図示のように、第１貼付け部２１ｆと、第２貼付け部２２ｆと、規制部３０ｆと、を含む。
【００６９】
第１貼付け部２１ｆは、一方側の皮膚に貼り付けられる部分で、表側から順に基材層１１ｆ、弾性材層１４ｆ、粘着剤層１２、剥離材層１３を含んで構成される。第１貼付け部２１ｆは、一例として、図示のように、楕円形状に形成される。
【００７０】
第１貼付け部２１ｆにおいて、弾性材層１４ｆは、配置領域が基材層１１ｆよりも狭く、一例として、図示のように、弾性材層１４ｆは、縁部から内側（規制部３０ｆ側）に後退して配置される。
【００７１】
第２貼付け部２２ｆは、他方側の皮膚に貼り付けられる部分で、表側から順に基材層１１ｆ、弾性材層１４ｆ、粘着剤層１２、剥離材層１３を含んで構成される。第２貼付け部２２ｆは、一例として、図示のように、楕円形状に形成される。
【００７２】
第２貼付け部２２ｆにおいて、弾性材層１４ｆは、配置領域が基材層１１ｆよりも狭く、一例として、図示のように、弾性材層１４ｆは、縁部から内側（規制部３０ｆ側）に後退して配置される。
【００７３】
規制部３０ｆは、対象部位を覆う部分で、粘着剤層１２は含まず弾性材層１４ｆのみを含んで構成される。
【００７４】
一例として、規制部３０ｆにおける弾性材層１４ｆは、コ字形状、又はコ字形状を繰り返し反転屈曲させた形状をなす。例えば、図示のように、規制部３０ｆにおける弾性材層１４ｆは、２つのコ字形状を反転屈曲させた己字形状をなしている。弾性材層１４ｆは、コ字形状の向かい合う辺が近接方向に付勢される。
【００７５】
皺取り具１ｆは、使用の際は、剥離材層１３が剥がされ、規制部を対象部位の上方に、対象部位を隔てて第１貼付け部が一方の皮膚に貼り付けられ、第２貼付け部が他方の皮膚に貼り付けられる。この状態で、無意識に動こうとすると、弾性材層１４ｆのコ字形状の各辺にその復元力に抗する力を与えなければならない。しかし、無意識の動きは、その力が弱いため、各辺を離間方向へ変形させることはでむずかしい。これによって無意識の動きが抑制される。一方、意識的に動く必要がある場合は、その力が大きく、コ字形状の各辺にその復元力に抗する力を与えてこれを離間方向へ変形させ、動くことができるようになる。そして、意識的な動きを止めると、弾性材層１４ｆのコ字形状の各辺はその復元力によって元の状態に戻り、無意識の動き抑制状態に戻る。
【００７６】
皺取り具１ｆは、無意識の動きを抑制することで、位置ずれを抑制することができる。また、規制部を貼り付ける必要がないため、例えば、目や口等を跨ってこれとは干渉せずに適切な部位に配置することができる。
【００７７】
さらに、皺取り具１ｆは、構成を簡略化することで、製造コストを低減することもできる。
【００７８】
＜実施形態４＞
図９は、実施形態４に係る皺取り具１ｇを示す図である。皺取り具１ｇは、弾性材層１４ｇ及び規制部３０ｇのみが実施形態３に係る皺取り具１ｆと異なる。
【００７９】
弾性材層１４ｇは、一部が皺取り具１ｇの表側を構成し、一部が基剤層１１ｆの裏側に配置される層で、例えば、ゴム等伸縮力が強い素材が用いられる。弾性材層１４ｇは、基材層１１ｆの縁部よりも内側に後退して、皺取り具１ｇの中央部の細長い範囲に分布される。弾性材層１４ｇは、図示しない接着剤や粘着剤等で基材層１１ｆに貼り付けられて固定されてもよいし、粘着剤層１２によって基材層１１ｆに貼り付けられて固定されてもよい。
【００８０】
規制部３０ｇは、対象部位を覆う部分で、弾性材層１４ｇのみを含んで構成される。
【００８１】
皺取り具１ｇは、使用の際は、剥離材層１３が剥がされ、規制部を対象部位の上方に、対象部位を隔てて第１貼付け部が一方の皮膚に貼り付けられ、第２貼付け部が他方の皮膚に貼り付けられる。この状態で、無意識に動こうとすると、弾性材層１４ｇの復元力に抗する力を与えてこれを伸長させなければならない。しかし、無意識の動きは、その力が弱いため、伸長させることはむずかしい。これによって無意識の動きが抑制される。一方、意識的に動く必要がある場合は、その力が大きく、弾性素材１４ｇにその復元力に抗する力を与えてこれを伸長させ、動くことができるようになる。そして、意識的な動きが止まると、弾性材層１４ｇの復元力によって元の状態に戻り、無意識の動き抑制状態に戻る。
【００８２】
皺取り具１ｆは、無意識の動きを抑制することで、位置ずれを抑制することができる。また、規制部を貼り付ける必要がないため、例えば、目や口等を跨ってこれとは干渉せずに適切な部位に配置することができる。
【００８３】
さらに、皺取り具１ｆは、構成を簡略化することで、製造コストを低減することもできる。
【００８４】
以上、本発明に係る皺取り具の実施形態について説明したが、これらは本発明の実施形態の一例に過ぎず、本発明はこれらに限定されるものではない。本発明には、以上の各実施形態を組み合わせた形態や、様々な変形例が含まれる。
【００８５】
例えば、前記各実施形態においける皺取り具は、透明なものとして構成されてもよい。また、規制部は、基材層側に突出する形状であれば、他の形状であってもよい。
【００８６】
なお、本発明は、皺取り具だけでなく、例えば、お腹のたるみを引く、お尻をヒップアップする、乳房を引き上げるなどの皺だけでなく、皮膚をリストアップするだけでなく、皮膚にまつわる筋肉もリストアップする用途としても有効である。
【符号の説明】
【００８７】
１、１ａ、１ｂ              皺取り具
１１                        基材層
１２                        粘着剤層
１３                        剥離層
１４、１４ａ                弾性材層
１５、                      裏材層
２１                        第１貼付け部
２２                        第２貼付け部
３０、３０ａ、３０ｂ        規制部
３１                        第１側辺
３２                        第２側辺
３３ｂ                      段差部
４０ａ                      調整口
【図１】
2018051089.tif 000003
【図２】
2018051089.tif 000004
【図３】
2018051089.tif 000005
【図４】
2018051089.tif 000006
【図５】
2018051089.tif 000007
【図６】
2018051089.tif 000008
【図７】
2018051089.tif 000009
【図８】
2018051089.tif 000010
【図９】
2018051089.tif 000011
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
基材層と、粘着剤層と、剥離材層と、を含む皺取り具であって、
第１貼付け部と、第２貼付け部と、規制部と、を含み、
前記基材層と前記粘着剤層との間に、弾性材層を含み、
前記規制部における前記弾性材層は、復元力を有し、
前記規制部における前記弾性材層は、平面形状に設けられて平面方向において伸縮する
ことを特徴とする皺取り具。
【請求項２】
請求項１に記載の皺取り具であって、
前記規制部における前記弾性材層は、コ字形状、又は２以上のコ字形状を繰り返し反転屈曲させた形状に設けられる
ことを特徴とする皺取り具。
【請求項３】
基材層と、粘着剤層と、剥離材層と、を含む皺取り具であって、
第１貼付け部と、第２貼付け部と、規制部と、を含み、
前記基材層と前記粘着剤層との間に、弾性材層を含み、
前記規制部における前記弾性材層が復元力を有し、
前記規制部における前記弾性材層は、平面形状から前記基材層側に突出する突出形状に変更可能に設けられ、
前記規制部は、前記突出形状を固定するための折曲固定部を含む
ことを特徴とする皺取り具。
【請求項４】
請求項１〜３のいずれか一項に記載の皺取り具であって、
前記規制部の少なくとも一部を貫通する調整口を含む
ことを特徴とする皺取り具。
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
第１貼付け部と、第２貼付け部と、前記第１貼付け部と前記第２貼付け部との間に設けられる規制部と、を含む皺取り具であって、
前記皺取り具は、基材層と弾性材層と粘着材層と剥離材層とが重ねられて構成され、
前記弾性材層は、前記第１貼付け部、前記規制部及び前記第２貼付け部にわたって配置され、
前記規制部には、前記基材層と前記粘着材層が配置されておらず、
前記規制部における前記弾性材層は、復元力を有し、
前記規制部における前記弾性材層は、平面形状に設けられて平面方向において伸縮する
ことを特徴とする皺取り具。
【請求項２】
請求項１に記載の皺取り具であって、
前記規制部における前記弾性材層は、コ字形状、又は２以上のコ字形状を繰り返し反転屈曲させた形状に設けられる
ことを特徴とする皺取り具。
【請求項３】
第１貼付け部と、第２貼付け部と、前記第１貼付け部と前記第２貼付け部との間に設けられる規制部と、を含む皺取り具であって、
前記皺取り具は、基材層と弾性材層と粘着材層と剥離材層とが重ねられて構成され、
前記弾性材層は、前記第１貼付け部、前記規制部及び前記第２貼付け部にわたって配置され、
前記規制部には、前記粘着材層が配置されておらず、
前記規制部における前記弾性材層が復元力を有し、
前記規制部における前記弾性材層は、平面形状から前記基材層側に突出する突出形状に変更可能に設けられ、
前記規制部は、前記突出形状を固定するための折曲固定部を含む
ことを特徴とする皺取り具。
【請求項４】
請求項１〜３のいずれか一項に記載の皺取り具であって、
前記規制部の少なくとも一部を貫通する調整口を含む
ことを特徴とする皺取り具。